(57)【要約】【課題】  ウォーミングアップにかかる時間を短縮することができ、しかもウォーミングアップ時の各コイルの無駄な出力を抑制することができる定着装置および画像形成装置を提供する。【解決手段】  温度センサ１２の検知温度Ｔ１および温度センサ１３の検知温度Ｔ２が設定温度Ｔｓに達するまで、センターコイル２１およびサイドコイル２２，２３を予め記憶されている動作パターンに従って動作させるウォーミングアップ、を実行する。このウォーミングアップ時の、検知温度Ｔ１の単位時間当りの上昇幅ΔＴ１、および検知温度Ｔ２の単位時間当りの上昇幅ΔＴ２を求める。そして、上記予め記憶されている動作パターンを、上記求められた上昇幅ΔＴ１，ΔＴ２が互いに同じになるような動作パターンに、更新する。【選択図】      図５
2005316418.tif 000002
【特許請求の範囲】
【請求項１】
回転する加熱部材と、
前記加熱部材の回転方向と直交する方向における同加熱部材の略中央部を誘導加熱するための第１コイルと、
前記加熱部材の回転方向と直交する方向における同加熱部材の一端部および他端部を誘導加熱するための第２コイルと、
前記加熱部材の回転方向と直交する方向における同加熱部材の略中央部の温度Ｔ１を検知する第１温度センサと、
前記加熱部材の回転方向と直交する方向における同加熱部材の一端部あるいは他端部の温度Ｔ２を検知する第２温度センサと、
前記第１温度センサの検知温度Ｔ１および前記第２温度センサの検知温度Ｔ２が予め定められている設定温度Ｔｓに達するまで、前記第１コイルおよび前記第２コイルを予め記憶されている動作パターンに従って動作させるウォーミングアップ、を実行する第１制御手段と、
前記ウォーミングアップ時の、前記第１温度センサで検知される温度Ｔ１の単位時間当りの上昇幅ΔＴ１、および前記第２温度センサで検知される温度Ｔ２の単位時間当りの上昇幅ΔＴ２を求める第２制御手段と、
前記予め記憶されている動作パターンを、前記第２制御手段で求められた上昇幅ΔＴ１，ΔＴ２が互いに同じになるような動作パターンに、更新する第３制御手段と、
を備えていることを特徴とする定着装置。
【請求項２】
前記第１制御手段は、前記第１温度センサの検知温度Ｔ１および前記第２温度センサの検知温度Ｔ２が予め定められている設定温度Ｔｓに達するまで、前記第１コイルおよび前記第２コイルを予め記憶されている時間ずつ交互に動作させるウォーミングアップ、を実行する、
前記第３制御手段は、前記第１コイルの動作時間と前記第２コイルの動作時間との比率を、前記第２制御手段で求められた上昇幅ΔＴ１，ΔＴ２が互いに同じになるような比率に、更新する、
ことを特徴とする請求項１に記載の定着装置。
【請求項３】
前記第１制御手段は、前記第１温度センサの検知温度Ｔ１および前記第２温度センサの検知温度Ｔ２が予め定められている設定温度Ｔｓに達するまで、前記第１コイルおよび前記第２コイルを予め記憶されている各々の出力で同時に動作させるウォーミングアップ、を実行する、
前記第３制御手段は、前記第１コイルの出力と前記第２コイルの出力との比率を、前記第２制御手段で求められた上昇幅ΔＴ１，ΔＴ２が互いに同じになるような比率に、更新する、
ことを特徴とする請求項１に記載の定着装置。
【請求項４】
前記第１コイルから誘導加熱用の高周波磁界を発生させるための高周波電流を出力する第１高周波発生回路と、
前記第２コイルから誘導加熱用の高周波磁界を発生させるための高周波電流を出力する第２高周波発生回路と、
をさらに備えていることを特徴とする請求項１に記載の定着装置。
【請求項５】
前記加熱部材に接してその加熱部材と共に回転し、その加熱部材との間に被定着物を取込んで同被定着物に圧力を加える加圧部材、
をさらに備えていることを特徴とする請求項１に記載の定着装置。
【請求項６】
前記第１温度センサおよび前記第２温度センサは、前記加熱部材の回転方向において前記各コイルと対応する位置よりも下流側に設けられている、
ことを特徴とする請求項１に記載の定着装置。
【請求項７】
回転するヒートローラと、
前記ヒートローラの軸方向における同ヒートローラの略中央部を誘導加熱するための第１コイルと、
前記ヒートローラの軸方向における同加熱部材の一端部および他端部を誘導加熱するための第２コイルと、
前記ヒートローラの軸方向と直交する方向における同加熱部材の略中央部の温度Ｔ１を検知する第１温度センサと、
前記ヒートローラの軸方向と直交する方向における同加熱部材の一端部あるいは他端部の温度Ｔ２を検知する第２温度センサと、
前記第１温度センサの検知温度Ｔ１および前記第２温度センサの検知温度Ｔ２が予め定められている設定温度Ｔｓに達するまで、前記第１コイルおよび前記第２コイルを予め記憶されている動作パターンに従って動作させるウォーミングアップ、を実行する第１制御手段と、
前記ウォーミングアップ時の、前記第１温度センサで検知される温度Ｔ１の単位時間当りの上昇幅ΔＴ１、および前記第２温度センサで検知される温度Ｔ２の単位時間当りの上昇幅ΔＴ２を求める第２制御手段と、
前記予め記憶されている動作パターンを、前記第２制御手段で求められた上昇幅ΔＴ１，ΔＴ２が互いに同じになるような動作パターンに、更新する第３制御手段と、
を備えていることを特徴とする定着装置。
【請求項８】
前記第１制御手段は、前記第１温度センサの検知温度Ｔ１および前記第２温度センサの検知温度Ｔ２が予め定められている設定温度Ｔｓに達するまで、前記第１コイルおよび前記第２コイルを予め記憶されている時間ずつ交互に動作させるウォーミングアップ、を実行する、
前記第３制御手段は、前記第１コイルの動作時間と前記第２コイルの動作時間との比率を、前記第２制御手段で求められた上昇幅ΔＴ１，ΔＴ２が互いに同じになるような比率に、更新する、
ことを特徴とする請求項７に記載の定着装置。
【請求項９】
前記第１制御手段は、前記第１温度センサの検知温度Ｔ１および前記第２温度センサの検知温度Ｔ２が予め定められている設定温度Ｔｓに達するまで、前記第１コイルおよび前記第２コイルを予め記憶されている各々の出力で同時に動作させるウォーミングアップ、を実行する、
前記第３制御手段は、前記第１コイルの出力と前記第２コイルの出力との比率を、前記第２制御手段で求められた上昇幅ΔＴ１，ΔＴ２が互いに同じになるような比率に、更新する、
ことを特徴とする請求項７に記載の定着装置。
【請求項１０】
前記第１コイルから誘導加熱用の高周波磁界を発生させるための高周波電流を出力する第１高周波発生回路と、
前記第２コイルから誘導加熱用の高周波磁界を発生させるための高周波電流を出力する第２高周波発生回路と、
をさらに備えていることを特徴とする請求項７に記載の定着装置。
【請求項１１】
前記ヒートローラに接してそのヒートローラと共に回転し、そのヒートローラとの間に被定着物を取込んで同被定着物に圧力を加えるプレスローラ、
をさらに備えていることを特徴とする請求項７に記載の定着装置。
【請求項１２】
前記第１温度センサおよび前記第２温度センサは、前記ヒートローラの回転方向において前記各コイルと対応する位置よりも下流側に設けられている、
ことを特徴とする請求項７に記載の定着装置。
【請求項１３】
原稿の画像を読取る読取部と、前記読取部で読取られた画像を画像形成用のペーパーシートに形成するプロセスユニットと、前記ペーパーシートに形成された画像を加熱により前記ペーパーシートに定着させる定着装置と、を備えた画像形成装置において、
前記定着装置は、
回転する加熱部材と、
前記加熱部材の回転方向と直交する方向における同加熱部材の略中央部を誘導加熱するための第１コイルと、
前記加熱部材の回転方向と直交する方向における同加熱部材の一端部および他端部を誘導加熱するための第２コイルと、
前記加熱部材の回転方向と直交する方向における同加熱部材の略中央部の温度Ｔ１を検知する第１温度センサと、
前記加熱部材の回転方向と直交する方向における同加熱部材の一端部あるいは他端部の温度Ｔ２を検知する第２温度センサと、
前記第１温度センサの検知温度Ｔ１および前記第２温度センサの検知温度Ｔ２が予め定められている設定温度Ｔｓに達するまで、前記第１コイルおよび前記第２コイルを予め記憶されている動作パターンに従って動作させるウォーミングアップ、を実行する第１制御手段と、
前記ウォーミングアップ時の、前記第１温度センサで検知される温度Ｔ１の単位時間当りの上昇幅ΔＴ１、および前記第２温度センサで検知される温度Ｔ２の単位時間当りの上昇幅ΔＴ２を求める第２制御手段と、
前記予め記憶されている動作パターンを、前記第２制御手段で求められた上昇幅ΔＴ１，ΔＴ２が互いに同じになるような動作パターンに、更新する第３制御手段と、
を備えていることを特徴とする画像形成装置。
【発明の詳細な説明】
【技術分野】
【０００１】
この発明は、現像剤像をペーパーシートに形成し、その現像剤像をペーパーシート上に定着させる定着装置および画像形成装置に関する。
【背景技術】
【０００２】
画像形成装置は、原稿から画像を読取り、その読取った画像に対応する現像剤像をペーパーシートに形成し、その現像剤像を定着装置によりペーパーシート上に定着させる。
【０００３】
上記定着装置は、ヒートローラとプレスローラとの間に上記ペーパーシートを取込んで、ペーパーシートに熱と圧力を加えることにより、ペーパーシート上の現像剤像をペーパーシート上に定着させる。上記ヒートローラの内側または外側には、誘導加熱用のセンターコイルおよびサイドコイルが設けられている。これらコイルに高周波電流が供給されることにより、コイルから高周波磁界が発生する。この高周波磁界によって上記ヒートローラに渦電流が生じ、その渦電流に基づくジュール熱によって上記ヒートローラが自己発熱する。
【０００４】
上記センターコイルは、ヒートローラの軸方向における同ヒートローラの略中央部を誘導加熱する。上記サイドコイルは、ヒートローラの軸方向における同ヒートローラの一端および他端を誘導加熱する。そして、ヒートローラの略中央部の温度Ｔ１、およびヒートローラの一端あるいは他端の温度Ｔ２が、ペーパーシートの有無およびサイズ（Ａ４−Ｒサイズ、Ａ３サイズなど）にかかわらず設定温度Ｔｓとなるように、センターコイルおよびサイドコイルの交互動作の各々の動作時間が制御される。あるいは、センターコイルおよびサイドコイルが同時に動作して、各コイルの出力が制御される。
【発明の開示】
【発明が解決しようとする課題】
【０００５】
電源がオンされた直後のウォーミングアップ時は、温度Ｔ１，Ｔ２が早期に設定温度Ｔｓに達するよう、センターコイルおよびサイドコイルが駆動される。しかしながら、定着装置ごとの熱容量の“ばらつき”、あるいは環境変化などにより、温度Ｔ１，Ｔ２の上昇速度に差が生じる。たとえば、ヒートローラの略中央部の温度Ｔ１が設定温度Ｔｓに達した後、しばらくの時間が経過してから、ヒートローラの一端あるいは他端の温度Ｔ２が設定温度Ｔｓに達することがある。この場合、温度Ｔ２が設定温度Ｔｓに達した時点でウォーミングアップの終了となるため、ウォーミングアップにかかる時間が長引いてしまう。また、ウォーミングアップにかかる時間が長引いた分だけ、センターコイルの出力が無駄になる。
【０００６】
この発明は、上記の事情を考慮したもので、ウォーミングアップにかかる時間を短縮することができ、しかもウォーミングアップ時の各コイルの無駄な出力を抑制することができる定着装置および画像形成装置を提供することを目的とする。
【課題を解決するための手段】
【０００７】
請求項１に係る発明の定着装置は、回転する加熱部材と、この加熱部材の回転方向と直交する方向における同加熱部材の略中央部を誘導加熱するための第１コイルと、上記加熱部材の回転方向と直交する方向における同加熱部材の一端部および他端部を誘導加熱するための第２コイルと、上記加熱部材の回転方向と直交する方向における同加熱部材の略中央部の温度Ｔ１を検知する第１温度センサと、上記加熱部材の回転方向と直交する方向における同加熱部材の一端部あるいは他端部の温度Ｔ２を検知する第２温度センサと、上記第１温度センサの検知温度Ｔ１および上記第２温度センサの検知温度Ｔ２が予め定められている設定温度Ｔｓに達するまで、上記第１コイルおよび上記第２コイルを予め記憶されている動作パターンに従って動作させるウォーミングアップ、を実行する第１制御手段と、上記ウォーミングアップ時の、上記第１温度センサで検知される温度Ｔ１の単位時間当りの上昇幅ΔＴ１、および上記第２温度センサで検知される温度Ｔ２の単位時間当りの上昇幅ΔＴ２を求める第２制御手段と、上記予め記憶されている動作パターンを、上記第２制御手段で求められた上昇幅ΔＴ１，ΔＴ２が互いに同じになるような動作パターンに、更新する第３制御手段と、を備えている。
【０００８】
請求項７に係る発明の定着装置は、回転するヒートローラと、このヒートローラの軸方向における同ヒートローラの略中央部を誘導加熱するための第１コイルと、上記ヒートローラの軸方向における同加熱部材の一端部および他端部を誘導加熱するための第２コイルと、上記ヒートローラの軸方向と直交する方向における同加熱部材の略中央部の温度Ｔ１を検知する第１温度センサと、上記ヒートローラの軸方向と直交する方向における同加熱部材の一端部あるいは他端部の温度Ｔ２を検知する第２温度センサと、上記第１温度センサの検知温度Ｔ１および上記第２温度センサの検知温度Ｔ２が予め定められている設定温度Ｔｓに達するまで、上記第１コイルおよび上記第２コイルを予め記憶されている動作パターンに従って動作させるウォーミングアップ、を実行する第１制御手段と、上記ウォーミングアップ時の、上記第１温度センサで検知される温度Ｔ１の単位時間当りの上昇幅ΔＴ１、および上記第２温度センサで検知される温度Ｔ２の単位時間当りの上昇幅ΔＴ２を求める第２制御手段と、上記予め記憶されている動作パターンを、上記第２制御手段で求められた上昇幅ΔＴ１，ΔＴ２が互いに同じになるような動作パターンに、更新する第３制御手段と、を備えている。
【０００９】
請求項１３に係る発明の画像形成装置は、原稿の画像を読取る読取部と、前記読取部で読取られた画像を画像形成用のペーパーシートに形成するプロセスユニットと、前記ペーパーシートに形成された画像を加熱により前記ペーパーシートに定着させる定着装置と、を備えている。そして、定着装置は、回転する加熱部材と、この加熱部材の回転方向と直交する方向における同加熱部材の略中央部を誘導加熱するための第１コイルと、上記加熱部材の回転方向と直交する方向における同加熱部材の一端部および他端部を誘導加熱するための第２コイルと、上記加熱部材の回転方向と直交する方向における同加熱部材の略中央部の温度Ｔ１を検知する第１温度センサと、上記加熱部材の回転方向と直交する方向における同加熱部材の一端部あるいは他端部の温度Ｔ２を検知する第２温度センサと、上記第１温度センサの検知温度Ｔ１および上記第２温度センサの検知温度Ｔ２が予め定められている設定温度Ｔｓに達するまで、上記第１コイルおよび上記第２コイルを予め記憶されている動作パターンに従って動作させるウォーミングアップ、を実行する第１制御手段と、上記ウォーミングアップ時の、上記第１温度センサで検知される温度Ｔ１の単位時間当りの上昇幅ΔＴ１、および上記第２温度センサで検知される温度Ｔ２の単位時間当りの上昇幅ΔＴ２を求める第２制御手段と、上記予め記憶されている動作パターンを、上記第２制御手段で求められた上昇幅ΔＴ１，ΔＴ２が互いに同じになるような動作パターンに、更新する第３制御手段と、を備えている。
【発明の効果】
【００１０】
この発明によれば、ウォーミングアップにかかる時間を短縮することができ、しかもウォーミングアップ時の各コイルの無駄な出力を抑制することができる定着装置および画像形成装置を提供できる。
【発明を実施するための最良の形態】
【００１１】
［１］以下、この発明の第１の実施形態について図面を参照して説明する。
【００１２】
この発明に係る画像形成装置は、原稿の画像を光学的に読取るスキャンユニット（後述のスキャンユニット３３）、このスキャンユニットで読取られた画像に対応する現像剤像を画像形成用のペーパーシートに形成するプロセスユニット（後述のプロセスユニット４５）、および上記ペーパーシートに形成された現像剤像を加熱によりそのペーパーシートに定着させる定着装置（後述の定着装置１）などを備えている。この画像形成装置の具体的な構成は、先に米国へ特許出願したAppl.No.09/955,089に記載されている。よって、その構成の説明は省略する。
【００１３】
上記定着装置の構成を図１、図２、図３に示している。  
定着装置１は、回転する加熱部材たとえばヒートローラ２を有している。このヒートローラ２と加圧部材であるプレスローラ８とが、被定着物であるペーパーシートＰの搬送路を上下に挟む状態に設けられている。プレスローラ８は、ヒートローラ２の表面（外周面）に加圧状態で接してそのヒートローラ２と共に回転し、そのヒートローラ２との間にペーパーシートＰを取込んでペーパーシートＰに圧力を加える。このとき、ヒートローラ２の熱がペーパーシートＰに伝わることにより、ペーパーシートＰ上の現像剤像が溶融し、その溶融した現像剤がペーパーシートＰ上に定着する。
【００１４】
ヒートローラ２は、芯金３の上に、断熱部材４、金属部材５、弾性部材６、表面部材７を順に積層して構成されたもので、図示右方向に回転駆動される。
【００１５】
ヒートローラ２の周囲に、ペーパーシートＰをヒートローラ２から剥離するための爪９、ヒートローラ２上に残る現像剤および紙屑等を除去するためのクリーニング部材１０、ヒートローラ２の表面にオイルを塗布するためのオイル塗布ローラ１１、誘導加熱用のセンターコイル２１、誘導加熱用のサイドコイル２２，２３、およびヒートローラ２の表面の温度を検知する第１温度センサ１２，第２温度センサ１３，第３温度センサ１４が設けられている。
【００１６】
上記センターコイル２１は、ヒートローラ２の回転方向と直交する方向（軸方向）における同ヒートローラ２の略中央部と対応する位置に、設けられている。上記サイドコイル２２は、ヒートローラ２の回転方向と直交する方向における同ヒートローラ２の一端部と対応する位置に、設けられている。上記サイドコイル２３は、ヒートローラ２の回転方向と直交する方向における同ヒートローラ２の他端部と対応する位置に、設けられている。このサイドコイル２２，２３は、互いに接続されて、実質的には１つのコイルを形成している。
【００１７】
これらコイル２１，２２，２３は、それぞれコア２４，２５，２６に装着されており、誘導加熱用の高周波磁界を発する。この高周波磁界がヒートローラ２に与えられることにより、ヒートローラ２の金属部材５に渦電流が生じ、その渦電流によるジュール熱で金属部材５が自己発熱する。
【００１８】
上記温度センサ１２は、ヒートローラ２の回転方向と直交する方向における同ヒートローラ２の略中央部の温度Ｔ１を検知する。上記温度センサ１３は、ヒートローラ２の回転方向と直交する方向における同ヒートローラ２の一端部の温度Ｔ２を検知する。上記温度センサ１４は、ヒートローラ２の一端部におけるエッジ部分の温度を安全のために検知する。
【００１９】
これら温度センサ１２，１３，１４は、ヒートローラ２の表面に接する接触式でも、ヒートローラ２から離れる非接触式でも、そのいずれでもよい。
【００２０】
上記画像形成装置の制御回路を図４に示している。
【００２１】
メインコントローラ３０に、コントロールパネルコントローラ３１、スキャンコントローラ３２、およびプリントコントローラ４０が接続されている。
【００２２】
メインコントローラ３０は、コントロールパネルコントローラ３１、スキャンコントローラ３２、およびプリントコントローラ４０を統括的に制御する。スキャンコントローラ３２は、原稿の画像を光学的に読取るスキャンユニット３３を制御する。
【００２３】
プリントコントローラ４０に、制御プログラム記憶用のＲＯＭ４１、データ記憶用のＲＡＭ４２、プリントエンジン４３、シート搬送ユニット４４、プロセスユニット４５、定着装置１が接続されている。プリントエンジン４３は、上記スキャンユニット３３で読取られた画像を上記プロセスユニット４５の感光体ドラムに形成するためのレーザ光を発する。シート搬送ユニット４４は、ペーパーシートＰの搬送機構およびその駆動回路などにより構成されている。プロセスユニット４５は、上記スキャンユニット５３で読取られた画像に対応する静電潜像を上記プリントエンジン４３から発せられるレーザ光によって感光体ドラムの表面に形成し、その感光体ドラム上の静電潜像を現像剤で現像し、その現像剤像をペーパーシートＰに転写する。
【００２４】
定着装置１の電気回路を図５に示している。  
商用交流電源５０に、降圧用のトランス５１を介してＣＰＵ５２が接続されている。また、商用交流電源５０に、整流回路６０，７０が接続されている。整流回路６０，７０の出力端に、高周波発生回路（スイッチング回路ともいう）６１，７１が接続されている。
【００２５】
高周波発生回路６１は、上記センターコイル２１と共に共振回路を形成する共振用コンデンサ６２、その共振回路を励起するスイッチング素子たとえばトランジスタ６３、およびそのトランジスタ６３に並列接続されたダンパダイオード６４により構成され、トランジスタ６３が駆動回路５３によってオン，オフ駆動されることにより、高周波電流を生成する。
【００２６】
高周波発生回路７１は、上記サイドコイル２２，２３と共に共振回路を形成する共振用コンデンサ７２、その共振回路を励起するスイッチング素子たとえばトランジスタ７３、およびそのトランジスタ７３に並列接続されたダンパダイオード７４により構成され、トランジスタ７３が上記駆動回路５３によってオン，オフ駆動されることにより、高周波電流を生成する。
【００２７】
この高周波発生回路６１，７１で生成される高周波電流がセンターコイル２１およびサイドコイル２２，２３に供給されることにより、センターコイル２１およびサイドコイル２２，２３から高周波磁界が発生する。この高周波磁界によってヒートローラ２の金属部材５に渦電流が生じ、その渦電流に基づくジュール熱によって金属部材５が自己発熱する。
【００２８】
上記ＣＰＵ５２に、上記温度センサ１２，１３，１４、上記プリントコントローラ４０、および上記駆動回路５３が接続されている。
【００２９】
ＣＰＵ５２は、第１制御部、第２制御部、第３制御部を有し、トランス５１から供給される電圧により動作する。第１制御部は、温度センサ１２の検知温度Ｔ１および温度センサ１３の検知温度Ｔ２が予め定められている設定温度Ｔｓに達するまで、センターコイル２１およびサイドコイル２２，２３を上記ＲＡＭ４２に予め記憶されている動作パターンに従って動作させるウォーミングアップ、を実行する。第２制御部は、上記ウォーミングアップ時の、検知温度Ｔ１の単位時間ｔ当りの上昇幅ΔＴ１、および検知温度Ｔ２の単位時間ｔ当りの上昇幅ΔＴ２を求める。第３制御部は、ＲＡＭ４２に記憶されている動作パターンを、上記第２制御部で求められた上昇幅ΔＴ１，ΔＴ２が互いに同じになるような動作パターンに、更新する。
【００３０】
つぎに、図６のフローチャートを参照しながら作用について説明する。
【００３１】
商用交流電源５０がオンされると（ステップ１０１のＹＥＳ）、センターコイル２１およびサイドコイル２２，２３をＲＡＭ４２に予め記憶されている動作パターンに従って動作させるウォーミングアップ、が実行される（ステップ１０２）。すなわち、センターコイル２１およびサイドコイル２２，２３が、予め記憶されている時間ずつ交互に動作する。そして、ヒートローラ２の略中央部の温度Ｔ１および一端部の温度Ｔ２が、温度センサ１２，１３により検知される（ステップ１０３）。この検知温度Ｔ１，Ｔ２が共に設定温度Ｔｓに達すると（ステップ１０４のＹＥＳ）、ウォーミングアップが終了してレディモードに入る（ステップ１０５）。
【００３２】
ウォーミングアップが終了すると、ウォーミングアップ時の検知温度Ｔ１の単位時間ｔ当りの上昇幅ΔＴ１が求められる（ステップ１０６）。さらに、ウォーミングアップ時の検知温度Ｔ２の単位時間ｔ当りの上昇幅ΔＴ２が求められる（ステップ１０７）。そして、上昇幅ΔＴ１と上昇幅ΔＴ２が同じになるような動作パターンが、ＲＯＭ４１内の各種動作パターンから選択される（ステップ１０８）。ＲＯＭ４１に記憶されている各種動作パターンのフォーマットを図７に示している。
【００３３】
標準の動作パターン“１７”は、センターコイル２１の動作時間が１秒、サイドコイル２２，２３の動作時間も１秒である（比率が10:10）。図８のように、上昇幅ΔＴ１が上昇幅ΔＴ２より大きければ、上昇幅ΔＴ２を増大させるべく、動作パターン“１８”“１９”“２０”“２１”“２２”のいずれが選択される。動作パターン“１８”は、センターコイル２１の動作時間が１秒、サイドコイル２２，２３の動作時間が１．１秒である（比率が10:11）。動作パターン“１９”は、センターコイル２１の動作時間が１秒、サイドコイル２２，２３の動作時間が１．２秒である（比率が10:12）。動作パターン“２０”は、センターコイル２１の動作時間が１秒、サイドコイル２２，２３の動作時間が１．３秒である（比率が10:13）。動作パターン“２１”は、センターコイル２１の動作時間が１秒、サイドコイル２２，２３の動作時間が１．４秒である（比率が10:14）。動作パターン“２２”は、センターコイル２１の動作時間が１秒、サイドコイル２２，２３の動作時間が１．５秒である“２２”（比率が10:15）。
【００３４】
そして、選択された動作パターンがＲＡＭ４２に更新記憶される（ステップ１０９）。更新記憶された動作パターンは、電源オフにかかわらず保持され、次の電源オン時のウォーミングアップで使用される。次の電源オン時のウォーミングアップでは、検知温度Ｔ２の単位時間ｔ当りの上昇幅ΔＴ２が増大方向に変化し、上昇幅ΔＴ１，ΔＴ２が同じになる。
【００３５】
こうして、検知温度Ｔ２の立ち上がりが速くなることにより、ウォーミングアップにかかる時間を短縮することができる。検知温度Ｔ１については、ウォーミングアップにかかる時間が短縮されたことにより、センターコイル２１の無駄な出力を抑制することができる。
【００３６】
温度センサ１２，１３が、ヒートローラ２の回転方向においてコイル２１，２２，２３の位置よりも下流側に設けられているので、誘導加熱されたヒートローラ２の温度を的確に検知することができる。
【００３７】
上昇幅ΔＴ１が上昇幅ΔＴ２より小さい場合は、上昇幅ΔＴ１を増大させるべく、動作パターン“１６”“１５”“１４”“１３”“１２”のいずれが選択される。動作パターン“１６”は、センターコイル２１の動作時間が１．１秒、サイドコイル２２，２３の動作時間が１秒である（比率が11:10）。動作パターン“１５”は、センターコイル２１の動作時間が１．２秒、サイドコイル２２，２３の動作時間が１秒である（比率が12:10）。動作パターン“１４”は、センターコイル２１の動作時間が１．３秒、サイドコイル２２，２３の動作時間が１秒である（比率が13:10）。動作パターン“１３”は、センターコイル２１の動作時間が１．４秒、サイドコイル２２，２３の動作時間が１秒である（比率が14:10）。動作パターン“１２”は、センターコイル２１の動作時間が１．５秒、サイドコイル２２，２３の動作時間が１秒である（比率が15:10）。
【００３８】
［２］この発明の第２の実施形態を説明する。
【００３９】
ＲＯＭ４１に記憶されている各種動作パターンのフォーマットを図９に示している。
【００４０】
標準の動作パターン“１７”は、センターコイル２１の動作時間が１秒、サイドコイル２２，２３の動作時間も１秒である（比率が10:10）。図８のように、上昇幅ΔＴ１が上昇幅ΔＴ２より大きければ、上昇幅ΔＴ２を増大させるべく、動作パターン“１８”“１９”“２０”“２１”“２２”のいずれが選択される。動作パターン“１８”は、センターコイル２１の動作時間が０．９秒、サイドコイル２２，２３の動作時間が１．１秒である（比率が9:11）。動作パターン“１９”は、センターコイル２１の動作時間が０．８秒、サイドコイル２２，２３の動作時間が１．２秒である（比率が8:12）。動作パターン“２０”は、センターコイル２１の動作時間が０．７秒、サイドコイル２２，２３の動作時間が１．３秒である（比率が7:13）。動作パターン“２１”は、センターコイル２１の動作時間が０．６秒、サイドコイル２２，２３の動作時間が１．４秒である（比率が6:14）。動作パターン“２２”は、センターコイル２１の動作時間が０．５秒、サイドコイル２２，２３の動作時間が１．５秒である“２２”（比率が5:15）。そして、選択された動作パターンがＲＡＭ４２に更新記憶される。
【００４１】
上昇幅ΔＴ１が上昇幅ΔＴ２より小さい場合は、動作パターン“１６”“１５”“１４”“１３”“１２”のいずれが選択される。動作パターン“１６”は、センターコイル２１の動作時間が１．１秒、サイドコイル２２，２３の動作時間が０．９秒である（比率が1.1:0.9）。動作パターン“１５”は、センターコイル２１の動作時間が１．２秒、サイドコイル２２，２３の動作時間が０．８秒である（比率が1.2:0.8）。動作パターン“１４”は、センターコイル２１の動作時間が１．３秒、サイドコイル２２，２３の動作時間が０．７秒である（比率が1.3:0.7）。動作パターン“１３”は、センターコイル２１の動作時間が１．４秒、サイドコイル２２，２３の動作時間が０．６秒である（比率が1.4:0.6）。動作パターン“１２”は、センターコイル２１の動作時間が１．５秒、サイドコイル２２，２３の動作時間が０．５秒である（比率が1.5:0.5）。そして、選択された動作パターンがＲＡＭ４２に更新記憶される。
【００４２】
他の構成、作用、効果は、第１の実施形態と同じである。よって、その説明は省略する。
【００４３】
［３］この発明の第３の実施形態を説明する。
【００４４】
ウォーミングアップでは、センターコイル２１およびサイドコイル２２，２３が、予め記憶されている各々の出力で同時に動作する。コイル２１，２２，２３の合計出力に制限はない。
【００４５】
ウォーミングアップが終了すると、ウォーミングアップ時の検知温度Ｔ１の単位時間ｔ当りの上昇幅ΔＴ１が求められる。さらに、ウォーミングアップ時の検知温度Ｔ２の単位時間ｔ当りの上昇幅ΔＴ２が求められる。そして、上昇幅ΔＴ１と上昇幅ΔＴ２が同じになるような動作パターンが、ＲＯＭ４１内の各種動作パターンから選択される。ＲＯＭ４１に記憶されている各種動作パターンのフォーマットを図１０に示している。
【００４６】
標準の動作パターン“１１”は、センターコイル２１の出力が１０００Ｗ、サイドコイル２２，２３の出力も１０００Ｗ秒である（比率が1000:1000）。図８のように、上昇幅ΔＴ１が上昇幅ΔＴ２より大きければ、上昇幅ΔＴ２を増大させるべく、動作パターン“１２”〜“２１”のいずれが選択される。動作パターン“１２”は、センターコイル２１の出力が１０００Ｗ、サイドコイル２２，２３の出力が１０２０Ｗ秒である（比率が1000:1020）。動作パターン“１３”は、センターコイル２１の出力１０００Ｗ、サイドコイル２２，２３の出力が１０４０Ｗである（比率が1000:1040）。動作パターン“２１”は、センターコイル２１の出力が１０００Ｗ、サイドコイル２２，２３の出力が１２００Ｗである（比率が1000:1200）。
【００４７】
そして、選択された動作パターンがＲＡＭ４２に更新記憶される。更新記憶された動作パターンは、電源オフにかかわらず保持され、次の電源オン時のウォーミングアップで使用される。次の電源オン時のウォーミングアップでは、検知温度Ｔ２の単位時間ｔ当りの上昇幅ΔＴ２が増大方向に変化し、上昇幅ΔＴ１，ΔＴ２が同じになる。
【００４８】
こうして、検知温度Ｔ２の立ち上がりが速くなることにより、ウォーミングアップにかかる時間を短縮することができる。検知温度Ｔ１については、ウォーミングアップにかかる時間が短縮されたことにより、センターコイル２１の無駄な出力を抑制することができる。
【００４９】
上昇幅ΔＴ１が上昇幅ΔＴ２より小さい場合は、上昇幅ΔＴ１を増大させるべく、動作パターン“１０”〜“１”のいずれが選択される。動作パターン“１０”は、センターコイル２１の出力が１０２０Ｗ、サイドコイル２２，２３の出力が１０００Ｗである（比率が1020:1000）。動作パターン“９”は、センターコイル２１の出力が１０４０Ｗ、サイドコイル２２，２３の出力が１０００Ｗである（比率が1040:1000）。間を省略して、動作パターン“１”は、センターコイル２１の出力が１２００Ｗ、サイドコイル２２，２３の出力が１０００Ｗである（比率が1200:1000）。
【００５０】
他の構成、作用、効果は、第１の実施形態と同じである。よって、その説明は省略する。
【００５１】
［４］この発明の第４の実施形態を説明する。
【００５２】
ウォーミングアップでは、センターコイル２１およびサイドコイル２２，２３が、予め記憶されている各々の出力で同時に動作する。コイル２１，２２，２３の合計出力は、２０００Ｗに制限されている。
【００５３】
ウォーミングアップが終了すると、ウォーミングアップ時の検知温度Ｔ１の単位時間ｔ当りの上昇幅ΔＴ１が求められる。さらに、ウォーミングアップ時の検知温度Ｔ２の単位時間ｔ当りの上昇幅ΔＴ２が求められる。そして、上昇幅ΔＴ１と上昇幅ΔＴ２が同じになるような動作パターンが、ＲＯＭ４１内の各種動作パターンから選択される。ＲＯＭ４１に記憶されている各種動作パターンのフォーマットを図１１に示している。
【００５４】
標準の動作パターン“１１”は、センターコイル２１の出力が１０００Ｗ、サイドコイル２２，２３の出力も１０００Ｗである（比率が1000:1000）。図８のように、上昇幅ΔＴ１が上昇幅ΔＴ２より大きければ、動作パターン“１２”〜“２１”のいずれが選択される。動作パターン“１２”は、センターコイル２１の出力が１０２０Ｗ、サイドコイル２２，２３の出力が８００Ｗである（比率が1020:800）。動作パターン“１３”は、センターコイル２１の出力が１０４０Ｗ、サイドコイル２２，２３の出力が８２０Ｗである（比率が1040:820）。間を省略して、動作パターン“２１”は、センターコイル２１の出力が１２００Ｗ、サイドコイル２２，２３の出力が９８０Ｗである（比率が1200:980）。そして、選択された動作パターンがＲＡＭ４２に更新記憶される。
【００５５】
上昇幅ΔＴ１が上昇幅ΔＴ２より小さい場合は、上昇幅ΔＴ１を増大させるべく、動作パターン“１０”〜“１”のいずれが選択される。動作パターン“１０”は、センターコイル２１の出力が９８０Ｗ、サイドコイル２２，２３の出力が１０２０Ｗである（比率が980:1020）。動作パターン“９”は、センターコイル２１の出力が９６０Ｗ、サイドコイル２２，２３の出力が１０４０Ｗである（比率が960:1040）。動作パターン“１”は、センターコイル２１の出力が８００Ｗ、サイドコイル２２，２３の出力が１２００Ｗである（比率が800:1200）。そして、選択された動作パターンがＲＡＭ４２に更新記憶される。
【００５６】
他の構成、作用、効果は、第１の実施形態と同じである。よって、その説明は省略する。
【００５７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５８】
【図１】各実施形態における定着装置の構成を示す図。
【図２】各実施形態におけるヒートローラおよび各コイルの構成を示す図。
【図３】各実施形態におけるヒートローラ、各コイル、および各コアの構成を示す図。
【図４】各実施形態における画像形成装置の制御回路のブロック図。
【図５】各実施形態における定着装置の電気回路のブロック図。
【図６】各実施形態の作用を説明するためのフローチャート。
【図７】第１の実施形態における各コイルの各種動作パターンを示す図。
【図８】各実施形態における温度Ｔ１，Ｔ２の変化の一例を示す図。
【図９】第２の実施形態における各コイルの各種動作パターンの変形例を示す図。
【図１０】第３の実施形態における各コイルの各種動作パターンの別の変形例を示す図。
【図１１】第４の実施形態における各コイルの各種動作パターンのさらに別の変形例を示す図。
【符号の説明】
【００５９】
１…定着装置、２…ヒートローラ、８…プレスローラ、Ｐ…ペーパーシート、２１…センターコイル、２２，２３…サイドコイル、１２…第１温度センサ、１３…第２温度センサ、１４…第３温度センサ、２１…センターコイル、２２，２３…サイドコイル、３０…メインコントローラ、３１…コントロールパネルコントローラ、３２…スキャンコントローラ、４０…プリントコントローラ、５０…商用交流電源、５１…降圧用のトランス、５２…ＣＰＵ、６０，７０…整流回路、６１，７１…高周波発生回路
【図１】
2005316418.tif 000003
【図２】
2005316418.tif 000004
【図３】
2005316418.tif 000005
【図４】
2005316418.tif 000006
【図５】
2005316418.tif 000007
【図６】
2005316418.tif 000008
【図７】
2005316418.tif 000009
【図８】
2005316418.tif 000010
【図９】
2005316418.tif 000011
【図１０】
2005316418.tif 000012
【図１１】
2005316418.tif 000013